(57)【特許請求の範囲】
【請求項１】
隣接する他の包装体と密着した状態で容器内に収容される包装体であって、前記包装体は、前記包装体に包装される内容物を該包装体から取り出すための開封テープを前記他の包装体と密着する側面に備え、前記開封テープは前記包装体が前記他の包装体と密着した状態で前記包装体の上面より高い位置まで突き出すことができる長さを有する、ことを特徴とする包装体。
【発明の詳細な説明】
【技術分野】
【０００１】
本発明は、容器に収納されている内容物の個包装に関する。
【背景技術】
【０００２】
チーズやバターなどにおいて、一度に使い切れる量、もしくは一口で食べきれる量に小分けして、それぞれを合成樹脂製のフイルムやアルミ箔、紙等で個包装した商品が各種上市されている。例えば、ポーション状チーズは、円盤形を6〜8等分（1個あたり15〜30g）したものを個包装し、円筒状の容器に収納している。その収納形態は、ポーション状チーズの先端部（鋭角側）を円筒状の容器の中央に向け、後端部（円弧側）を円筒状の容器の側壁に沿うように収納されている。しかし、このように収納された状態では、各ポーション状チーズの間及びポーション状チーズと円筒状容器の間にほとんど隙間はなく、密着状態で収納されているために、特に最初の一個目のポーション状チーズを取り出すことが困難である。ポーション状チーズは軟質であるため、無理に指を押し込んで取り出そうとすると当該チーズまたは隣接したチーズを変形させるという問題がある。そこで、収納容器全体を逆さまにして個包装を全て取り出した後、必要分以外のチーズを再度収納容器に戻すなどということが行われている。
【０００３】
このように商品が隙間無く収納された容器内では、最初の１個目の取り出しが容易に行えないということがあり、収納容器や個包装を改良したものが提案されている。例えば、特許文献１の方法では、円筒状の容器本体の底部に、その中心から外れた位置に指先で扇形ポーション状食品を押し上げるための開孔予定部を、弱化線で囲んだ状態に設けた構成をとる食品包装用容器が提案されている。この容器では、弱化線に沿って底部の一部を切り離し、その開孔口から指を入れて扇形ポーション状食品を押し上げて取り出すが、底部の一部を切り離す際に内容物を傷つける恐れがある。また、底部を開孔させた後では保存中に吸湿するなどの問題により、品質の低下などが懸念されるという欠点がある。
【先行技術文献】
【特許文献】
【０００４】
【特許文献１】特開平１１−３４８９６２号公報
【発明の概要】
【発明が解決しようとする課題】
【０００５】
そこで、本発明では、個包装された内容物を傷つけることなく、密着状態で収納されている容器から容易に個包装を取り出すことができる手段を提供することを課題とする。
【課題を解決するための手段】
【０００６】
本発明の包装体は、隣接する他の包装体と密着した状態で容器内に収容される包装体であって、前記包装体に包装される内容物を該包装体から取り出すための開封テープを前記他の包装体と密着する側面に備え、前記開封テープは前記包装体が前記他の包装体と密着した状態で前記包装体の上面より高い位置まで突き出すことができる長さを有することを特徴とする包装体である。
【発明の効果】
【０００７】
本発明により、容器から個包装を取り出す際に内容物を傷つけることなく容易に取り出すことができる。
【図面の簡単な説明】
【０００８】
【図１】本発明の実施例１において、把持部を有する個包装ラベルが貼付された扇形ポーション状チーズ包装体の斜視図である。
【図２】本発明の実施例１において、扇形ポーション状チーズ包装体が密着収納された円筒状の容器本体とこれを覆う被せ蓋の斜視図である。
【図３】本発明の実施例２において、円弧部分の側面中央部から、上面より高い位置まで上部に突き出た把持部が貼付された扇形ポーション状チーズ包装体の斜視図である。
【図４】本発明の実施例２において、扇形ポーション状チーズ包装体が密着収納された円筒状容器本体の斜視図である。
【図５】本発明の実施例３において、喫食時に個包装を除去するために設けられている開封テープを上部に引き伸ばし、上面より高い位置まで上部に突き出た把持部を設けた扇形ポーション状チーズ包装体の斜視図である。
【図６】本発明の実施例３において、扇形ポーション状チーズ包装体が密着収納された円筒状容器本体の斜視図である。
【発明を実施するための形態】
【０００９】
本発明は、容器に密着して収納される個包装品に関するものであるが、例えば、円筒状容器に密着収納される、扇形ポーション状チーズの個包装に適用される。この円筒状容器は円形の底板とこの底板の外周から上側に立ち上がる周壁からなる容器本体およびこれを覆う被せ蓋からなっている。円筒状容器の材質としては、合成樹脂、合成樹脂を主材とした複合材、紙および紙を主材として合成樹脂やアルミニウムがコーティングされた複合材等である。容器本体に収納されている扇形ポーション状チーズは、鋭角をなす先端部と、容器本体の半径と同じ半径を有する円弧からなる後端部からなっており、6または8個で密着収納され、個々にラベルが貼られている。この扇形ポーション状チーズの個包装およびラベルの材質は合成樹脂、合成樹脂を主材とした複合材、紙、紙を主材として合成樹脂やアルミニウムがコーティングされた複合材、金属および金属に合成樹脂がコーティングされた複合材等を使用することが可能であるが、好ましくは扇形ポーション状チーズの個包装は金属に合成樹脂がコーティングされた複合材、個包装ラベルでは、紙を主材として合成樹脂がコーティングされた複合材である。
【００１０】
この扇形ポーション状チーズは円筒形容器本体に密着収納されており、特にその一つ目を取り出すことが困難である。そこで、扇形ポーション状チーズに貼り付けられているラベルのいずれかの位置に、容易に摘めることができる把持部を付与する。この把持部は指先で容易に摘める程度の大きさであり、円形、四角形、楕円形、星型など、任意の形状にすることができる。
【００１１】
また、扇形ポーション状チーズは後端部を円筒形容器本体の側壁に沿うように収納されているが、この後端部のいずれかの位置に、容易に摘める大きさの把持部を設けても良い。この把持部も扇形ポーション状チーズに貼り付けられているラベルと同様、指先で容易に摘める程度の大きさに構成する。この把持部の材質としては、合成樹脂、合成樹脂を主材とした複合材、紙、紙を主材として合成樹脂やアルミニウムがコーティングされた複合材、金属および金属に合成樹脂がコーティングされた複合材等を使用することが可能であるが、好ましくは合成樹脂を主材とした複合材である。
【００１２】
また、扇形ポーション状チーズに取り付けてある開封用テープを利用しても良い。扇形ポーション状チーズは、例えば合成樹脂がコーティングされたアルミ箔で個包装されており、喫食の際にはこの個包装をはがす必要があるため、開封用テープが付与されている。この開封用テープの端部は、個包装のアルミ箔が容易にはがす際に把持できる程度の長さがアルミ箔から突出しているが、このテープの長さを引き伸ばし、密着して収納されている個包装の間からはみ出させるようにすることにより、このテープを把持部として引き出すことで、円筒形容器から扇形ポーション状チーズを容易に取り出すことができる。把持部の材質としては、合成樹脂、合成樹脂を主材とした複合材、紙、紙を主材として合成樹脂やアルミニウムがコーティングされた複合材、金属および金属に合成樹脂がコーティングされた複合材等を使用することが可能であるが、開封用テープと同質の合成樹脂であることが好ましい。
本発明は、円筒形容器に収納される包装体に限られることはなく、直方体や立方体の容器であっても良いし、三角柱状の容器であっても良い。また、包装体の形状も扇形に限られることはなく、収納容器の形状に応じた形状の包装体に適用することが可能である。
【００１３】
［実施例１］
本実施例の具体的な構成を図１および図２に基づいて説明する。図１は約60度の頂角を有し対向する辺が円弧状に形成されている扇形のチーズを合成樹脂がコーティングされたアルミ箔２で包装した扇形ポーション状チーズ包装体１を示したものである。扇形ポーション状チーズ包装体１には、喫食時にアルミ箔２を除去するための補助となる開封テープ３が設けられている。開封テープ３はアルミ箔２の内側に延設されてアルミ箔２の内側に貼付されている。このため、開封テープ３をアルミ箔２が内部のチーズからはがれるように引っ張ると開封テープ３とともにアルミ箔２が内部のチーズから剥離するように構成されている。また、扇形ポーション状チーズ包装体１の上部のアルミ箔２には紙製の個包装ラベル４が貼付されている。個包装ラベル４は、扇形ポーション状チーズ包装体１の上面の形状とほぼ相似の形状をしているが、扇形ポーション状チーズ包装体１の円弧部分に対応する部分の中央部分に突出するように半円形の把持部５が設けられている。把持部５はアルミ箔２には貼付されておらず、指先で把持できるようになっている。このように構成された扇形ポーション状チーズ包装体１は、図２に示すように円筒状の容器に収納される。扇形ポーション状チーズ包装体１は円筒状の容器本体１０とこれを覆う被せ蓋２０で構成される包装用容器に、収納数が6個で、容器本体１０側に放射状に密着収納されるが、このような状態においても把持部５を把持することにより、扇形ポーション状チーズ包装体１を容易に容器本体１０から取り出すことが可能となる。また、把持部５をつまむ際に指先と他のポーション状チーズ１’が干渉することがないので、取り出された扇形ポーション状チーズ１は変形することはない。
把持部５の大きさは指先で容易に摘める程度の幅5〜40mm、長さ5〜25mmであることが好ましいが、円筒状の容器本体１０とこれを覆う被せ蓋２０でなる包装用容器に収納できる大きさであれば良い。また、扇形ポーション状チーズ包装体１を持ち上げる時に把持部５のみが切れないように、個包装の重量に耐えうる強度を有するものとする。本実施例では、把持部５の形状は半円形としたが、円形、四角形、楕円形、星型など任意の形状であっても良い。また、本実施例では、放射状に収納される扇形ポーション状チーズ包装体１の円弧側、すなわち容器本体１０の中心から遠い側で、かつ円弧の中央部分に把持部５を設けたので、把持部５が互いに近接することなく、所望の扇形ポーション状チーズ包装体１を容易に取り出すことが可能となった。しかし、把持部５の位置はこれに限られることなく、個包装ラベルのいずれの位置に設けても良い。
また、本実施例では扇形ポーション状チーズ包装体１の包装の材質として合成樹脂がコーティングされたアルミ箔としたが、合成樹脂、合成樹脂を主材とした複合材、紙、紙を主材として合成樹脂やアルミニウムがコーティングされた複合材、金属および金属に合成樹脂がコーティングされた複合材等で構成してもよい。また、個包装ラベル４の材質としては、合成樹脂、合成樹脂を主材とした複合材、紙、紙を主材として合成樹脂やアルミニウムがコーティングされた複合材、金属および金属に合成樹脂がコーティングされた複合材等で構成してもよい。
さらに、個包装ラベル４に把持部５が設けられることで、扇形ポーション状チーズ包装体１から個包装ラベル４を容易に取り外すことが出来るため、個包装と貼付されたラベルが異なる材質である場合、分別して廃棄することが容易になり、分別作業または環境負荷を低減することができる。
【００１４】
［実施例２］
本実施例を図３および図４に基づいて説明する。図３は、約60度の頂角を有し対向する辺が円弧状に形成されている扇形のチーズを合成樹脂がコーティングされたアルミ箔３１で包装した扇形ポーション状チーズ包装体３０を示したものである。扇形ポーション状チーズ包装体３０には、喫食時にアルミ箔３１を除去するための補助となる開封テープ３２が設けられている。開封テープ３２はアルミ箔３１の内側に延設されてアルミ箔３１の内側に貼付されている。このため、開封テープ３２をアルミ箔３１が内部のチーズからはがれるように引っ張ると開封テープ３２とともにアルミ箔３１が内部のチーズから剥離するように構成されている。また、扇形ポーション状チーズ包装体３０の上部のアルミ箔３１には紙製の個包装ラベル３３が貼付されている。個包装ラベル３３は、扇形ポーション状チーズ包装体３０の上面の形状とほぼ相似の形状をしている。扇形ポーション状チーズ包装体３０の円弧部分の側面中央部から、扇形ポーション状チーズ包装体３０の上面より高い位置まで上部に突き出た把持部３４が貼付されており、指先で把持できるようになっている。このように構成された扇形ポーション状チーズ包装体３０は、図４に示すように円筒状の容器本体に放射状に密着収納されるが、このような状態においても把持部３４を把持することにより、扇形ポーション状チーズ包装体３０を容器本体から容易に取り出すことが可能となる。把持部３４の大きさは指先で容易に摘める程度の幅5〜40mm、長さ5〜25mmであることが好ましいが、円筒状の容器本体とこれを覆う被せ蓋でなる包装用容器に収納できる大きさであれば良い。また、扇形ポーション状チーズ包装体３０を持ち上げる時に把持部３４のみが切れないように、個包装の重量に耐えうる強度を有するものとする。本実施例では、把持部３４の形状は長方形としたが、円形、四角形、楕円形、星型など任意の形状であっても良い。また、本実施例では、放射状に収納される扇形ポーション状チーズ包装体３０の円弧の中央部分の側面に把持部３４を設けたので、把持部３４が互いに近接することなく、所望の扇形ポーション状チーズ包装体３０を容易に取り出すことが可能となった。しかし、把持部３４の位置はこれに限られることなく、扇形ポーション状チーズ包装体３０の円弧の側面のいずれの位置に設けても良い。把持部３４の材質としては、合成樹脂、合成樹脂を主材とした複合材、紙、紙を主材として合成樹脂やアルミニウムがコーティングされた複合材、金属および金属に合成樹脂がコーティングされた複合材等で構成してもよい。
【００１５】
［実施例３］
図５および図６に基づいて、第３の実施例を説明する。図５は、約60度の頂角を有し対向する辺が円弧状に形成されている扇形のチーズを合成樹脂がコーティングされたアルミ箔４１で包装した扇形ポーション状チーズ包装体４０を示したものである。扇形ポーション状チーズ包装体４０の上部のアルミ箔４１には紙製の個包装ラベル４３が貼付されている。個包装ラベル４３は、扇形ポーション状チーズ包装体４０の上面の形状とほぼ相似の形状をしている。喫食時に扇形ポーション状チーズ包装体４０のアルミ箔４１を除去するために設けられている開封テープを上部に引き伸ばし、扇形ポーション状チーズ包装体４０の上面より高い位置まで上部に突き出た把持部４２を設けた。このように構成された扇形ポーション状チーズ包装体４０は、図６に示すように円筒状の容器本体に放射状に密着収納されるが、このような状態においても把持部４２を把持することにより、扇形ポーション状チーズ包装体４０を容器本体から容易に取り出すことが可能となる。この把持部４２は実施例１および実施例２で示した把持部と同様、指先で容易に摘める程度の幅5〜40mm、長さ5〜25mmの大きさであることが好ましいが、円筒状の容器本体とこれを覆う被せ蓋で成る包装用容器に収納できる大きさであれば良い。また扇形ポーション状チーズ包装体４０を持ち上げる時に把持部４２のみが切れないように、把持部４２は扇形ポーション状チーズ包装体４０の重量に耐えうる強度を有し、さらに、扇形ポーション状チーズ包装体４０の包装体であるアルミ箔４１は把持部４２を引き出す際に開封しない強度を有するものとする。本実施例では把持部４２の形状は、開封用テープと同じ幅で形作られる長方形の形状としたが、円形、四角形、楕円形、星型など、任意の形状であっても良い。把持部４２の材質としては、合成樹脂、合成樹脂を主材とした複合材、紙、紙を主材として合成樹脂やアルミニウムがコーティングされた複合材、金属および金属に合成樹脂がコーティングされた複合材等で構成してもよい。
【符号の説明】
【００１６】
１．扇形ポーション状チーズ包装体
２．アルミ箔
３．開封テープ
４．個包装ラベル
５．把持部
１０．容器本体
２０．被せ蓋
３０．扇形ポーション状チーズ包装体
３１．アルミ箔
３２．開封テープ
３３．個包装ラベル
３４．把持部
４０．扇形ポーション状チーズ包装体
４１．アルミ箔
４２．把持部
４３．個包装ラベル
【図１】
0005468884.tif 000002
【図２】
0005468884.tif 000003
【図３】
0005468884.tif 000004
【図４】
0005468884.tif 000005
【図５】
0005468884.tif 000006
【図６】
0005468884.tif 000007